(57)【特許請求の範囲】
【請求項１】
室外機と、複数の室内機との間で流体を循環させ、全室内機が同時に冷暖房の同一モードで運転可能に構成した装置であって、室外機から吐出する流体の温度を設定温度に保つように室外機における熱操作量を制御する第１の制御機能と、室内機の運転台数の変化、各室内機に設けた流量制御弁の開度の総和の変化、各室内機に出入する流体の温度差の変化などの空調負荷変化関連値を求め、その空調負荷変化関連値が予め設定した値を超えて空調負荷が減少する方向に変化したときには、第１の制御機能に代わって、前記流体の温度が設定温度を冷房運転中であれば所定時間だけ上回り、暖房運転中であれば所定時間だけ下回り、前記空調負荷変化関連値が予め設定した値を超えて空調負荷が増加する方向に変化したときには、前記流体の温度が設定温度を冷房運転中であれば所定時間だけ下回り、暖房運転中であれば所定時間だけ上回るように室外機における熱操作量を制御する第２の制御機能とを備えた制御手段を設けたことを特徴とする空調装置。
【請求項２】
室外機と室内機との間で循環する流体が相変化可能な流体からなり、且つ、室内機の全数もしくは過半数が室外機より下方に設置され、前記相変化可能な流体が冷房運転時には液相と気相との主に比重差を利用して室外機と室内機との間を循環することを特徴とする請求項１記載の空調装置。
【発明の詳細な説明】
【０００１】
【発明の属する技術分野】
本発明は、空調装置に関するものである。
【０００２】
【従来の技術】
従来から、相変化可能な流体、すなわち潜熱を出し入れすることによって液体と気体との間で状態が変化する流体の搬送動力を必要としない空調装置として、例えば図７に示されるような装置があるが、この装置は凝縮器として機能する室外機１を建物の高所位置に設置し、この室外機１と、これより低い位置にある被空調室に設置の室内機４の熱交換器５との間を液相管６と気相管７とで連結し、室外機１で放熱・凝縮した液体をその自重によって室内機４の熱交換器５に液相管６を介して供給する一方、室内機４の熱交換器５で温度の高い室内空気と熱交換して吸熱・蒸発した気体を、流体が凝縮して低圧となっている室外機１に気相管７を介して流入させることで循環を可能とするものであるから、電動ポンプなどの搬送動力が不要となり、ランニングコストが抑制できると云った利点がある。なお、８は流量調整弁、９は送風機である。
【０００３】
また、室外機１においては、ここから液相管６に吐出する流体の温度が一定に維持されるように室外機１に投入する熱量が制御され、各室内機４においては、室外機１から液相管６を介して一定の温度で供給される流体が、送風機９によって供給される室内空気と熱交換したのち、所定の温度で気相管７に吐出するように、流量調整弁８の開度が制御されてその流量が制御される。
【０００４】
【発明が解決しようとする課題】
しかし、上記構成の空調装置にあっては、電動ポンプなどによる強制循環が行われないため従来より流体の循環速度が遅くなっているが、室内機の運転台数が変化したり、室内における空調負荷の変動があって室内機に出入りする流体の温度差が変化したり、流量調整弁の開度が変化するなどしても、室外機における投入熱量を直ちに変化させるのではなく、強制循環していた従来と同様に室外機から液相管に吐出する流体の実際の温度変化を確認した後、その温度が所定の温度に復帰するように室外機に投入する熱量を制御していたため、空調負荷の変化に対する対応が遅れると云う問題点があった。また、強制循環する従来タイプの空調装置においても、空調負荷の変化に対するより速やかな対応が求められていると云う問題点があり、これら問題点の解決が課題となっている。
【０００５】
【課題を解決するための手段】
本発明は上記従来技術の課題を解決するため、室外機と、複数の室内機との間で流体を循環させ、全室内機が同時に冷暖房の同一モードで運転可能に構成した装置において、室外機から吐出する流体の温度を設定温度に保つように室外機における熱操作量を制御する第１の制御機能と、室内機の運転台数の変化、各室内機に設けた流量制御弁の開度の総和の変化、各室内機に出入する流体の温度差の変化などの空調負荷変化関連値を求め、その空調負荷変化関連値が予め設定した値を超えて空調負荷が減少する方向に変化したときには、第１の制御機能に代わって、前記流体の温度が設定温度を冷房運転中であれば所定時間だけ上回り、暖房運転中であれば所定時間だけ下回り、前記空調負荷変化関連値が予め設定した値を超えて空調負荷が増加する方向に変化したときには、前記流体の温度が設定温度を冷房運転中であれば所定時間だけ下回り、暖房運転中であれば所定時間だけ上回るように室外機における熱操作量を制御する第２の制御機能とを設けるようにした第１の構成の空調装置と、
【０００６】
前記第１の構成の空調装置において、室外機と室内機との間で循環する流体が相変化可能な流体からなり、且つ、室内機の全数もしくは過半数が室外機より下方に設置され、前記相変化可能な流体が冷房運転時には液相と気相との主に比重差を利用して室外機と室内機との間を循環するようにした第２の構成の空調装置と、
を提供するものである。
【０００８】
【発明の実施の形態】
以下、本発明の実施形態について、図１〜図６を参照して説明する。なお、理解を容易にするため、これらの図においても前記図７において説明した部分と同様の機能を有する部分には、同一の符号を付した。
【０００９】
〔第１の実施形態〕
図１は、本発明になる第１の実施形態の装置構成を示したものであり、１は冷熱を発生させることができる、例えば吸収式冷凍機などからなる室外機であり、建物の例えば屋上にある機械室などに設置され、例えば蒸発器の内部に配管した熱交換器２を介して、閉回路３に封入した相変化が可能な流体、例えば低温度でも圧力が低下すると容易に蒸発し得る、Ｒ−１３４ａと熱の授受を行う。
【００１０】
５は、建物の各部屋に設置した室内機４の熱交換器であり、室外機１の熱交換器２とは、図のように液相管６・気相管７および流量調整弁８により配管・接続されて、前記閉回路３を形成している。
【００１１】
なお、１０は図示しない吸収液を加熱して冷媒蒸気を蒸発分離するためのバーナ１１に接続した燃料管に設けた燃料調整弁、１２は閉回路３を循環しているＲ−１３４ａの流速を検出するための流速センサ、１３〜１６は閉回路３を循環しているＲ−１３４ａの温度を検出するための温度センサであり、温度センサ１３は熱交換器２の入口部に、温度センサ１４は熱交換器２の出口部に、温度センサ１５は熱交換器５の入口部に、温度センサ１６は熱交換器５の出口部に、それぞれ設けられている。
【００１２】
また、室外機１には室外制御装置１７を、室内機４には室内制御装置１８を設けてある。そして、室外制御装置１７は、温度センサ１４が検出するＲ−１３４ａの温度、すなわち熱交換器２で冷却作用を受けて液相管６に吐出するＲ−１３４ａの温度が所定温度、例えば７℃になるように、燃料調整弁１０の開度を調節する機能を備え、室内制御装置１８は、温度センサ１６が検出するＲ−１３４ａの温度、すなわち熱交換器５を介して冷房作用を果たし、温度上昇して気相管７に吐出するＲ−１３４ａの温度が所定温度、例えば１２℃になるように流量調整弁８の開度を調節する機能を備えている。
【００１３】
また、室内制御装置１８と通信可能で、冷房の起動／停止、送風の強弱選択、温度設定などが行えるリモコン１９を各室内機４に対応して設置してある。
【００１４】
そして、室外機１においては、燃料調整弁１０の開度を大きくし、バーナ１１に供給する燃料を増やして火力を増加すると、図示しない吸収液から蒸発分離する冷媒の量が増加する。この増加した冷媒蒸気が、図示しない凝縮器で放熱して凝縮し、液体となって熱交換器２の周囲に供給され、熱交換器２内を流れるＲ−１３４ａから熱を奪って蒸発するので、熱交換器２内を流れるＲ−１３４ａを冷却する機能が強化され、流量が同じであればその温度低下幅が拡大する。逆に、燃料調整弁１０の開度を小さくしてバーナ１１の火力を減じると、熱交換器２内を流れるＲ−１３４ａを冷却する機能が弱まり、その温度低下幅は縮小する。
【００１５】
一方、室内機４においては、流量調整弁８の開度が同じであれば、空調負荷が大きいほど温度センサ１５と１６が検出するＲ−１３４ａの温度差は拡大し、空調負荷が小さいほど前記温度差は縮小する。
【００１６】
次に、閉回路３に封入したＲ−１３４ａの循環サイクルを説明すると、室外機１で発生した冷熱によってＲ−１３４ａは熱交換器２の管壁を介して冷却されるので、Ｒ−１３４ａは凝縮して下流側の液相管６に吐出し、流量調整弁８を介して各室内機４の熱交換器５に所定温度、例えば７℃で供給される。
【００１７】
また、各室内機４においては、送風機９によって温度の高い室内空気が強制的に供給されているので、室外機１から７℃で供給された液体のＲ−１３４ａは室内空気から熱を奪って蒸発し、冷房作用を行う。
【００１８】
そして、気体のＲ−１３４ａは、冷却されて凝縮・液化し、低圧になっている室外機１の熱交換器２に気相管７を通って流入すると云った循環が自然に起こる。
【００１９】
このＲ−１３４ａの循環において、ある室内機４における冷房負荷が増加（または減少）し、その室内機４の温度センサ１６が検出するＲ−１３４ａの温度が上昇（または低下）すると、その温度上昇（または温度低下）が解消するように、その室内制御装置１８からの制御信号を受けて該当する流量調整弁８の開度が増加（または減少）し、冷房負荷が増加した室内機４の熱交換器５に流入するＲ−１３４ａの量が増加（または減少）するので、その温度センサ１６が検出するＲ−１３４ａの温度上昇（または低下）はその内解消する。
【００２０】
そして、冷房負荷の変動に起因する、温度が変化したＲ−１３４ａが室外機１に流入したり、室外機１に流入するＲ−１３４ａの流量が変化して、温度センサ１４が検出するＲ−１３４ａの温度に変化が生じることになるが、室内機４全体の冷房負荷が短時間に大きく変動したときには、温度センサ１４によるＲ−１３４ａの温度変化の検出を持つことなく、室外制御装置１７においては燃料調整弁１０の開度を制御する際に目標温度となる温度センサ１４が検出するＲ−１３４ａの温度を、例えば室内機４の流量調整弁８の開度変化に基づいて変更する。
【００２１】
すなわち、運転中に冷房負荷が増えて、温度センサ１６が検出するＲ−１３４ａの温度が上昇したときには、その温度上昇を解消するために流量調整弁８の開度が増加して熱交換器５に流入するＲ−１３４ａの量を増加させるが、室内機４全体で流量調整弁８の開度増加率が例えば５〜１０％／分以上になったときには、直ちに温度センサ１４が検出するＲ−１３４ａの目標温度を例えば７℃→５℃と引き下げ、この新しい目標温度に温度センサ１４が検出するＲ−１３４ａの温度が収斂するように燃料調整弁１０の開度を増加してバーナ１１の火力を増やす。
【００２２】
また、運転中に冷房負荷が減少し、温度センサ１６が検出するＲ−１３４ａの温度が低下したときには、その温度低下を解消するために流量調整弁８の開度が減少して熱交換器５に流入するＲ−１３４ａの量を減少させるが、室内機４全体で流量調整弁８の開度減少率が例えば５％／分以上になったときには、直ちに温度センサ１４が検出するＲ−１３４ａの目標温度を例えば７℃→９℃と引き上げ、この新しい目標温度に温度センサ１４が検出するＲ−１３４ａの温度が収斂するように燃料調整弁１０の開度を減少してバーナ１１の火力を減らす。
【００２３】
例えば、温度センサ１４が検出するＲ−１３４ａの温度Ｔが７℃となるようにバーナ１１の燃料調整弁１０の開度を制御していて、空調負荷が急増したときには前記温度Ｔが所定時間だけ例えば５℃となるように燃料調整弁１０の開度を制御し、空調負荷が急減したときには前記温度Ｔが９℃となるように燃料調整弁１０の開度を制御して冷房運転を行う際の制御例を、図２に基づいて具体的に説明する。
【００２４】
ステップＳ１では、起動している全室内機４の流量調整弁８の現在の開度の総和ＫＶを、例えば１０秒毎に求める。
【００２５】
ステップＳ２では、開度総和ＫＶの変化量、すなわち現在の開度総和ＫＶと１０秒前の開度総和ＫＶとの差ΔＫＶが、起動している全室内機４の流量調整弁８の全開開度の総和の、例えば１０％以上であるか否かを判定し、イエスと判定されたときにはステップＳ３に移行し、ノーと判定されたときにはステップＳ４に移行する。
【００２６】
ステップＳ３では、ΔＴｔｇｔ  ＝−２℃として、所定時間、例えば５〜１０分程度の計時を開始する。なお、このタイマーの計時開始は、タイマーが計時を行っていないときの動作であり、タイマーが計時を行っているときは、タイマーを一旦リセットしたのち計時を開始する。
【００２７】
ステップＳ４では、前記ΔＫＶが−１０％未満であるか否かを判定し、イエスと判定されたときにはステップＳ５に移行し、ノーと判定されたときにはステップＳ６に移行する。
【００２８】
ステップＳ５では、ΔＴｔｇｔ  ＝＋２℃として、前記ステップＳ３と同様の計時を開始する。ステップＳ６では、計時中であるか否かを判定し、イエスと判定されたときにはステップＳ８に移行し、ノーと判定されたときにはステップＳ７に移行する。
【００２９】
そして、ステップＳ７では、ΔＴｔｇｔ  ＝０℃とし、ステップＳ８では、温度センサ１４が検出したＲ−１３４ａの温度Ｔと、設定温度Ｔｔｇｔ  （この場合は７℃）＋ΔＴｔｇｔ  とに基づいて、燃料調整弁１０の開度を、例えば容量制御などによって制御し、ステップＳ１に戻る。
【００３０】
また、バーナ１１の燃焼量を、所要時に直接補正するようにした制御例を図３に基づいて説明すると、ステップＳ１１では温度センサ１４が検出したＲ−１３４ａの温度Ｔと、設定温度Ｔｔｇｔ  （例えば７℃）とに基づいて、バーナ１１の燃焼量Ｓを求める。
【００３１】
ステップＳ１２では、起動している全室内機４の流量調整弁８の現在の開度の総和ＫＶを、例えば１０秒毎に求める。
【００３２】
ステップＳ１３では、開度総和ＫＶの変化量、すなわち現在の開度総和ＫＶと１０秒前の開度総和ＫＶとの差ΔＫＶが、起動している全室内機４の流量調整弁８の全開開度の総和の、例えば１０％以上であるか否かを判定し、イエスと判定されたときにはステップＳ１４に移行し、ノーと判定されたときにはステップＳ１５に移行する。
【００３３】
ステップＳ１４では、例えばΔＳをバーナ１１の最大燃焼の１割として、前記ステップＳ３と同様の計時を開始する。
【００３４】
ステップＳ１５では、前記ΔＫＶが−１０％未満であるか否かを判定し、イエスと判定されたときにはステップＳ１６に移行し、ノーと判定されたときにはステップＳ１７に移行する。
【００３５】
ステップＳ１６では、例えばΔＳをバーナ１１の最大燃焼の−１割として、前記と同様の計時を開始する。
【００３６】
ステップＳ１７では、計時が終了したか否かを判定し、イエスと判定されたときにはステップＳ１８に移行し、バーナ１１の燃焼量をステップＳ１１で求めたＳに制御した後、ステップＳ１１に戻る。
【００３７】
一方、ステップＳ１７でノーと判定されたときには、ステップＳ１９に移行してＳ´＝Ｓ＋ΔＳとし、さらにステップＳ２０に移行してバーナ１１の燃焼量をこのＳ´に制御し、ステップＳ１１に戻る。
【００３８】
また、さらに他の制御例を図４に基づいて説明すると、ステップＳ２１では温度センサ１４が検出したＲ−１３４ａの温度Ｔと、設定温度Ｔｔｇｔ  （例えば初期値は７℃）とに基づいて、バーナ１１の燃焼量を制御する。
【００３９】
ステップＳ２２では、起動している全室内機４の流量調整弁８の現在の開度の総和ＫＶを、例えば１０秒毎に求める。
【００４０】
そして、ステップＳ２３では、その開度総和ＫＶの変化量（変化の方向を問わない）、すなわち現在の開度総和ＫＶと１０秒前の開度総和ＫＶとの差ΔＫＶが、起動している全室内機４の流量調整弁８の全開開度の総和の、例えば１０％以上であるか否かを判定し、イエスと判定されたときにはステップＳ２４に移行し、ノーと判定されたときにはステップＳ２５に移行する。
【００４１】
ステップＳ２４では、例えばＴｔｇｔ  ＝Ｔｔｇｔ  −（ΔＫＶ／１０）としてステップＳ２１に戻り、ステップＳ２５では、Ｔｔｇｔ  を初期値（すなわち７℃）に戻してステップＳ２１に戻る。
【００４２】
このように、上記構成の本発明の空調装置においては、温度センサ１４が検出するＲ−１３４ａの温度、すなわち室内機４で冷房作用を行って温度が上昇したのち室外機１に流入し、熱交換器２で冷却されて液相管６に吐出するＲ−１３４ａの温度が所定の７℃から大きく外れるのを確認してから、燃料調整弁１０の開度を増減してバーナ１１の火力を調節する従来の制御に比べて、燃料調整弁１０の開度、すなわちバーナ１１の火力が冷房負荷の変動に直ちに追従するため、室温の速やかで安定した制御が可能となる。
【００４３】
なお、上記の制御は、室内機４の運転台数やＲ−１３４ａの循環速度が急激に変化したときに行うようにしても良い。
【００４４】
また、本発明の空調装置は、図１に破線で示したように、レシーバタンク２０と電動ポンプ２１とを設置した構成とすることも可能である。
【００４５】
このように構成すると、Ｒ−１３４ａの液体と気体の比重差に加えて電動ポンプ２１による搬送力が作用するので、室内機４の一部を室外機１より高いフロアや同じフロアに設置することが可能になる。
【００４６】
〔第２の実施形態〕
図５に基づいて第２の実施形態の装置構成を説明する。この第２の実施形態においては、液相管６に冷暖切替弁（開閉弁）２２・レシーバタンク２３・暖房用の電動ポンプ２４を図のように配管接続し、室外機１で冷熱を発生しながら電動ポンプ２４の運転を停止し、開閉弁２２を開弁したときには前記第１の実施形態と同じＲ−１３４ａの循環が起こって冷房運転が行え、室外機１で温熱を発生しながら開閉弁２２を閉弁し、電動ポンプ２４を運転したときには、室外機１で発生した温熱によって閉回路３のＲ−１３４ａが熱交換器２の管壁を介して加熱されて蒸発し、気相管７を介して各室内機４の熱交換器５に所定温度、例えば５５℃で供給され、各熱交換器５においては、送風機９によって強制的に供給された温度の低い室内空気にＲ−１３４ａが放熱して凝縮・液化し、この凝縮・液化時に暖房作用を行い、さらに、凝縮したＲ−１３４ａの液体が流量調整弁８を通ってレシーバタンク２３に入り、電動ポンプ２４の搬送力によって室外機１の熱交換器２に流入するＲ−１３４ａの循環が可能に、すなわち冷／暖房の何れか一方の空調が選択実施可能になっている。
【００４７】
なお、蒸発器に配管した熱交換器２から冷熱を供給したり、温熱を供給することができる吸収式冷凍機としては、例えば特開平７−３１８１８９号公報などに開示されたものが使用できる。
【００４８】
暖房運転中に、ある室内機４における暖房負荷が増加（または減少）し、その室内機４の温度センサ１５が検出するＲ−１３４ａの温度が低下（または上昇）すると、その温度低下（または温度上昇）が解消するように、その室内制御装置１８からの制御信号を受けて該当する流量調整弁８の開度が増加（または減少）し、暖房負荷が増加した室内機４の熱交換器５に流入するＲ−１３４ａの量が増加（または減少）するので、その温度センサ１６が検出するＲ−１３４ａの温度低下（または上昇）はその内解消する。
【００４９】
そして、暖房負荷の変動に起因する、温度が変化したＲ−１３４ａが室外機１に流入したり、室外機１に流入するＲ−１３４ａの流量が変化して、温度センサ１３が検出するＲ−１３４ａの温度に変化が生じることになるが、室内機４全体の暖房負荷が短時間に大きく変動したときには、温度センサ１３によるＲ−１３４ａの温度変化の検出を待つことなく、室外制御装置１７においては燃料調整弁１０の開度を制御する際に目標温度となる温度センサ１３が検出するＲ−１３４ａの温度を、例えば室内機４の流量調整弁８の開度変化に基づいて変更する。
【００５０】
すなわち、運転中に暖房負荷が増加して、温度センサ１５が検出するＲ−１３４ａの温度が低下したときには、その温度低下を解消するために流量調整弁８の開度が増加して熱交換器５に流入するＲ−１３４ａの量を増加させるが、室内機４全体で流量調整弁８の開度増加率が例えば５〜１０％／分以上になったときには、直ちに温度センサ１３が検出するＲ−１３４ａの目標温度を例えば５５℃→５７℃と引き上げ、この新しい目標温度に温度センサ１３が検出するＲ−１３４ａの温度が収斂するように燃料調整弁１０の開度を増加してバーナ１１の火力を増やす。
【００５１】
また、運転中に暖房負荷が減少し、温度センサ１５が検出するＲ−１３４ａの温度が上昇したときには、その温度上昇を解消するために流量調整弁８の開度が減少して熱交換器５に流入するＲ−１３４ａの量を減少させるが、室内機４全体で流量調整弁８の開度減少率が例えば５％／分以上になったときには、直ちに温度センサ１３が検出するＲ−１３４ａの目標温度を例えば５５℃→５３℃と引き下げ、この新しい目標温度に温度センサ１３が検出するＲ−１３４ａの温度が収斂するように燃料調整弁１０の開度を減少してバーナ１１の火力を減らす。
【００５２】
例えば、温度センサ１３が検出するＲ−１３４ａの温度Ｔが５５℃となるようにバーナ１１の燃料調整弁１０の開度を制御していて、空調負荷が急増したときには前記温度Ｔが所定時間だけ例えば５７℃となるように燃料調整弁１０の開度を制御し、空調負荷が急減したときには前記温度Ｔが５３℃となるように燃料調整弁１０の開度を制御して暖房運転を行う際の制御例を、図６に基づいて具体的に説明する。
【００５３】
ステップＳ３１では起動している全室内機４の流量調整弁８の現在の開度の総和ＫＶを、例えば１０秒毎に求める。
【００５４】
ステップＳ３２では、開度総和ＫＶの変化量、すなわち現在の開度総和ＫＶと１０秒前の開度総和ＫＶとの差ΔＫＶが、起動している全室内機４の流量調整弁８の全開開度の総和の、例えば１０％以上であるか否かを判定し、イエスと判定されたときにはステップＳ３３に移行し、ノーと判定されたときにはステップＳ３４に移行する。
【００５５】
ステップＳ３３では、ΔＴｔｇｔ  ＝＋２℃として、前記と同様の計時を開始し、ステップＳ３４では、前記ΔＫＶが−１０％未満であるか否かを判定し、イエスと判定されたときにはステップＳ３５に移行し、ノーと判定されたときにはステップＳ３６に移行する。
【００５６】
ステップＳ３５では、ΔＴｔｇｔ  ＝−２℃として、ステップＳ３３と同様の計時を開始する。ステップＳ３６では、計時中であるか否かを判定し、イエスと判定されたときにはステップＳ３８に移行し、ノーと判定されたときにはステップＳ３７に移行する。
【００５７】
そして、ステップＳ３７では、ΔＴｔｇｔ  ＝０℃とし、ステップＳ３８では、温度センサ１３が検出したＲ−１３４ａの温度Ｔと、設定温度Ｔｔｇｔ  （この場合は５５℃）＋ΔＴｔｇｔ  とに基づいて、燃料調整弁１０の開度を、例えば容量制御などによって制御し、ステップＳ３１に戻る。
【００５８】
このように、上記構成の本発明の空調装置においては、温度センサ１３が検出するＲ−１３４ａの温度、すなわち室内機４で暖房作用を行って温度が低下したのち室外機１に流入し、熱交換器２で加熱されて気相管７に吐出するＲ−１３４ａの温度が所定の５５℃から大きく外れるのを確認してから、燃料調整弁１０の開度を増減してバーナ１１の火力を調節する従来の制御に比べて、燃料調整弁１０の開度、すなわちバーナ１１の火力が冷房負荷の変動に直ちに追従するため、室温の速やかで安定した制御が可能となる。
【００５９】
この暖房運転においても、前記図３、図４と同様に制御することもできる。また、上記の制御は、室内機４の運転台数やＲ−１３４ａの循環速度が急激に変化したときに行うようにしても良いし、熱交換器２で加熱されて蒸発したＲ−１３４ａの蒸気圧が所定値に収斂するように制御することもできる。
【００６０】
なお、この第２の実施形態の空調装置においても、図５に破線で示したように、前記図１において説明したレシーバタンク２０と冷房用の電動ポンプ２１とを設置することで、冷房運転時に前記と同様の作用効果を得ることができる。
【００６１】
また、暖房運転時に開弁し、冷房運転時に閉弁する、破線で示した冷暖切替弁（開閉弁）２５を図のように設置することにより、冷房時に使用する電動ポンプ２１が設置されていても、暖房用の電動ポンプ２４によって室外機１に向けて搬送されるＲ−１３４ａが電動ポンプ２１を経由しないので、搬送抵抗を減少させることができる。
【００６２】
また、温度センサ１５と１６は、熱交換器５に吹き付ける室内空気の温度変化が検出できるように設置したり、温度センサ１５・１６に代えて、熱交換器５の出入口部におけるＲ−１３４ａの圧力差が検出できるように圧力センサを設置して、制御用データを検出することもできる。
【００６３】
さらに、閉回路３に封入する流体としては、Ｒ−１３４ａの他にも、温度と圧力の制御によって容易に相変化するＲ−４０７ｃ、Ｒ−４０４Ａ、Ｒ−４１０ｃなどであっても良いし、閉回路３の循環では相変化しない水であってもよい。
【００６４】
【発明の効果】
以上説明したように、本発明の空調装置によれば、室内機の運転台数の変化、各室内機に設けた流量制御弁の開度の総和の変化、各室内機に出入する流体の温度差の変化などの空調負荷変化関連値を求め、その空調負荷変化関連値が予め設定した値を超えて空調負荷が減少する方向に変化したときには、前記流体の温度が冷房運転中であれば所定時間だけ設定温度を上回り、暖房運転中であれば所定時間だけ下回り、前記空調負荷変化関連値が予め設定した値を超えて空調負荷が増加する方向に変化したときには、前記流体の温度が冷房運転中であれば所定時間だけ設定温度を下回り、暖房運転中であれば所定時間だけ上回るように室外機における熱操作量が制御されるので、空調負荷変動に対する室外機における熱操作の速やかな追従が可能であり、室温の速やかで安定した制御が可能となる。
【００６５】
特に、室外機と室内機との間を、相変化可能な流体が主に液相と気相の比重差を利用して循環する請求項２の発明においては、電動ポンプなどによって搬送力を与える空調装置に比べて流体の循環速度が遅くなるが、空調負荷の変動に対する熱操作の追従性は変わらないので、この場合も室温の速やかで安定した制御が可能となる。
【図面の簡単な説明】
【図１】冷房専用空調装置の構成を示す説明図である。
【図２】冷房運転時の制御例を示す説明図である。
【図３】冷房運転時の他の制御例を示す説明図である。
【図４】冷房運転時の他の制御例を示す説明図である。
【図５】冷暖房可能な空調装置の構成を示す説明図である。
【図６】暖房運転時の制御例を示す説明図である。
【図７】従来技術の説明図である。
【符号の説明】
１  室外機
２  熱交換器
３  閉回路
４  室内機
５  熱交換器
６  液相管
７  気相管
８  流量調整弁
９  送風機
１０  燃料調整弁
１１  バーナ
１２  流量センサ
１３〜１６  温度センサ
１７  室外制御装置
１８  室内制御装置
１９  リモコン
２０  レシーバタンク
２１  電動ポンプ
２２  冷暖切替弁（開閉弁）
２３  レシーバタンク
２４  電動ポンプ
２５  冷暖切替弁（開閉弁）
【図１】
0003599958.tif 000002
【図２】
0003599958.tif 000003
【図３】
0003599958.tif 000004
【図４】
0003599958.tif 000005
【図５】
0003599958.tif 000006
【図６】
0003599958.tif 000007
【図７】
0003599958.tif 000008